(57)【要約】【課題】自然エネルギーを利用して水を加熱し、高温になった温水は、熱交換機により水と水とで熱交換して温水を作成しており、熱交換機の使用による熱損失が発生しており、１００％の熱交換ができないという問題があり、貯湯タンクの温水温度を低下してしまうという課題があり、熱効率の良い給湯システムを創り出すことを目的とする。【解決手段】自然エネルギーである地熱コレクター１、太陽光コレクター１０１を利用して水を加熱し、その加熱された温水を、熱交換などをすることなく、直接貯湯タンク１０２に貯湯する自然に優しい給湯システムが得られる。【選択図】図１
2007327679.tif 000002
【特許請求の範囲】
【請求項１】
自然エネルギーを利用して水を加熱し、その加熱された温水を直接貯湯タンクに貯湯する貯湯システム。
【請求項２】
自然エネルギーである太陽熱を利用した太陽光コレクターで加熱または吸熱した高温水を前記貯湯タンクに貯湯することを特徴とした請求項１記載の給湯システム。
【請求項３】
前記太陽光コレクターに光検出センサーと温度センサーを設け、前記光検出センサーあるいは前記温度センサーの検出値により前記貯湯タンクの低温水を前記太陽光コレクターに供給または供給停止することを特徴とした請求項２記載の給湯システム。
【請求項４】
前記太陽光コレクターに温度センサーを設け前記温度センサーの検出値が凍結温度になると前記太陽光コレクター内部の水を排水することを特徴とした請求項２記載の給湯システム。
【請求項５】
前記太陽光コレクターに供給する供給水は給水弁を介して直接市水より給水するようなことを特徴とした請求項２記載の給湯システム。
【請求項６】
浴室の暖房あるいは乾燥するため暖かい空気を出す浴室暖房乾燥機を備え、前記浴室暖房乾燥機内部に温水と空気を熱交換する熱交換器を備え、前記熱交換器には温水を流し熱を送風することで温風を発生させ、前記熱交換器の温水は前記貯湯タンクに貯湯した高温水を使用することを特徴とした請求項１乃至５のいずれかに記載の給湯システム。
【請求項７】
浴室内に噴霧する噴霧水は前記貯湯タンクに貯湯した高温水を使用し、浴室内に噴霧することを特徴とした請求項６に記載の給湯システム。
【請求項８】
前記貯湯タンクに保存した高温水を前記浴室暖房乾燥機から温風を出すための前記熱交換器の温水と浴室内に噴霧するための噴霧用水に使用することを特徴とした請求項７記載の給湯システム。
【請求項９】
前記噴霧用水の温度が高いときは給水弁からの給水される市水と混合し、前記噴霧用水の温度を下げ浴室内に噴霧することを特徴とした請求項７記載の給湯システム。
【請求項１０】
前記太陽光コレクターで吸熱した高温水を前記浴室暖房乾燥機内部に備えた熱交換器の温水として使用すると共に、温水弁を介し一部前記貯湯タンクに保存することを特徴とした請求項７記載の給湯システム。
【請求項１１】
前記太陽光コレクターで吸熱した高温水または貯湯タンク内の高温水を前記浴室暖房乾燥機内部に備えた熱交換器の温水に使用すると共に、浴室内に噴霧するための噴霧用水に使用することを特徴とした請求項７記載の給湯システム。
【請求項１２】
前記貯湯タンクに貯湯した高温水を配管により前記浴室暖房乾燥機内部に備えた熱交換器に接続し、前記貯湯タンクの中央付近の中温水の配管と前記高温水の配管を平行に沿わせて中温水の温度を上昇させ浴室内に噴霧するための噴霧用水に使用することを特徴とした請求項７記載の給湯システム。
【請求項１３】
前記貯湯タンクの貯湯した温水温度を測定し、所定の温度に最も近いの温水を噴霧用水に使用することを特徴とした請求項７記載の給湯システム。
【請求項１４】
前記貯湯タンクの貯湯した温水温度を測定し、浴室内の温度設定が可能なリモコンの設定温度以上の温水を前記貯湯タンクから前記浴室暖房乾燥機内部に備えた熱交換器に流すことを特徴とした請求項６記載の給湯システム。
【請求項１５】
前記浴室暖房乾燥機内部に備えた熱交換器の排水管側に配管の温度を検出する温度センサーを設け、前記温度センサーが凍結温度を検出すると前記浴室暖房乾燥機内部に備えた熱交換器内部の水を排水することを特徴とする請求項６乃至１４のいずれかに記載の給湯システム。
【発明の詳細な説明】
【技術分野】
【０００１】
本発明は、ランニングコストが割安な自然エネルギーとヒートポンプ熱源機能付き給湯システムに関する。
【背景技術】
【０００２】
従来、この種の自然エネルギーとヒートポンプ熱源機能付き給湯システムは、低温の水を太陽の熱で温水に換える太陽光コレクターと貯湯タンク内の熱交換器間で循環回路を構成し、貯湯タンク内の水は、前記熱交換器により高温水となり貯湯タンクに貯湯され、さらに冷媒によるヒートポンプで暖められた高温水も貯湯タンク上部より注水され貯湯さられるたものが知られている（例えば特許文献１参照）。
【０００３】
以下、自然エネルギーとヒートポンプ熱源機能付きソラー給湯システムについて図１６を参照しながら説明する。
【０００４】
図１６に示すように、太陽光コレクター１０１は、温水配管により貯湯タンク１０２内の貯湯タンク内熱交換器１０３ａに接続され、貯湯タンク内熱交換器１０３ａは貯湯タンク１０２内の水または温水をさらに高温にし、さらに貯湯タンク内熱交換器１０３ａは温水配管により循環ポンプ１０４ａに接続されており、循環ポンプ１０４ａは温水配管により電磁弁１０５ａに接続され、電磁弁１０５ａは温水配管により太陽光コレクター１０１に接続されている。さらに、貯湯タンク１０２下部からは低温水が温水配管により循環ポンプ１０４ｂに接続され、さらに電磁弁１０５ｂを経由して熱交換器１０６ａ側に接続されており、熱交換器１０６ａ側で冷媒と熱交換された高温水は、貯湯タンク１０２の上部より注水される。熱交換機１０６ｂの冷媒側は、圧縮機１０７に接続し、圧縮機１０７は蒸発器１０８を介し膨張弁１０９に接続され、さらに膨張弁１０９は、熱交換器１０６ｂに接続され閉ループを構成し熱交換器１０６ｂの冷媒側で発生した高熱の冷媒と熱交換器１０６ａの温水側と熱交換する。また、床暖房１１０や浴室暖房乾燥機１１１に温水を使用する場合は、貯湯タンク１０２内の貯湯タンク内熱交換器１０３ｂが貯湯タンク１０２内の高温水と熱交換し、床暖房１１０や浴室暖房乾燥機１１１の循環水として閉ループを構成し使用される給湯システムが知られている。
【特許文献１】特開２００４−９２９３４号公報
【発明の開示】
【発明が解決しようとする課題】
【０００５】
このような従来の給湯システムでは、自然エネルギーで加熱、吸熱した高温の温水または中温の温水を貯湯タンク１０２内の貯湯タンク内熱交換器１０３ａにより貯湯タンク１０２内の水を温めるため熱損失が大きくなり効率が悪く、さらに床暖房１１０や浴室暖房乾燥機１１１に使用する温水も貯湯タンク１０２内の熱交換器１０３ｂにより熱交換した温水を循環するためさらに熱損失を増加につながっており、熱損失の少ない給湯システムが要求されている。
【０００６】
本発明は、このような従来の課題を解決するものであり、自然エネルギーで加熱または吸熱した高温または中温の温水を熱損失がないように直接貯湯タンクに貯湯する給湯システムを提供することを目的としている。
【０００７】
また、このような従来の給湯システムでは、太陽光で加熱または過熱した水の熱損失を少なくすることが要求されている。
【０００８】
本発明は、このような従来の課題を解決するものであり、太陽光で過熱した水の熱損失のない給湯システムを提供することを目的としている。
【０００９】
また、このような従来の給湯システムでは、気温が低いときや夕暮れの時も太陽光コレクターの集熱を行っており、集熱効果が悪く貯湯タンクの温水温度を低下することを防止ことを要求されている。
【００１０】
本発明は、このような従来の課題を解決するものであり、気温や屋外の明るさにより太陽光コレクターで集熱または停止により貯湯タンクの温水温度を低下しない給湯システムを提供することを目的としている。
【００１１】
また、このような従来の給湯システムでは、気温が非常に低くなると太陽光コレクター内部の水あるいは太陽光コレクターに接続された温水配管内部の水が凍結し温水配管の破裂防止を要求されている。
【００１２】
本発明は、このような従来の課題を解決するものであり、太陽光コレクター内部あるいは温水配管が破裂することを防止することができる給湯システムを提供することを目的としている。
【００１３】
また、このような従来の給湯システムでは、太陽光コレクターへの給水は、給水ポンプを使用しており商品のコストダウンが要求されている。
【００１４】
本発明は、このような従来の課題を解決するものであり、給水ポンプを無くしコストダウンすることができる給湯システムを提供することを目的としている。
【００１５】
また、このような従来の給湯システムでは、浴室暖房乾燥機への温水は熱交換器との閉ループとなっており、熱を交換するために熱交換器が必ず必要でありシステムが大きくなり小型化を要求されている。
【００１６】
本発明は、このような従来の課題を解決するものであり、熱交換器を無くすことにより小型化にすることができる給湯システムを提供することを目的としている。
【００１７】
また、このような従来の給湯システムでは、浴室内に噴霧する噴霧水は、ヒーターで温めた温水を噴霧しており省エネすることが要求されている。
【００１８】
本発明は、このような従来の課題を解決するものであり、ヒーターを使用することなく浴室内に温水を噴霧することができる給湯システムを提供することを目的としている。
【００１９】
また、このような従来の給湯システムでは、浴室暖房乾燥機内部に設けた熱交換器に供給する温水と浴室内に噴霧する噴霧水は貯湯タンクから同一の温水を使用することによる施工性向上を要求されている。
【００２０】
本発明は、このような従来の課題を解決するものであり、浴室暖房乾燥機内部に設けた熱交換器に供給する温水と浴室内に噴霧する噴霧水を同一の温水を使用することができる給湯システムを提供することを目的としている。
【００２１】
また、このような従来の給湯システムでは、浴室内に噴霧する噴霧水の水温が高温になると噴霧できる水温に急速に下げることが要求されている。
【００２２】
本発明は、このような従来の課題を解決するものであり、高温の噴霧水を急速に水温を下げることができる給湯システムを提供することを目的としている。
【００２３】
また、このような従来の給湯システムでは、浴室暖房乾燥機内部に設けた熱交換器に温水を供給するとともに貯湯タンクに貯湯し貯湯タンクの温水温度を上昇することが要求されている。
【００２４】
本発明は、このような従来の課題を解決するものであり、浴室暖房乾燥機内部に設けた熱交換器に温水を供給し、さらに貯湯タンクに貯湯し貯湯タンクの温水温度を上昇することができる給湯システムを提供することを目的としている。
【００２５】
また、このような従来の給湯システムでは、浴室暖房乾燥機内部に設けた熱交換器に供給する温水と浴室内に噴霧する噴霧水は、太陽光コレクターまたは貯湯タンクから同じ温水を使用し施工性向上をすることが要求されている。
【００２６】
本発明は、このような従来の課題を解決するものであり、浴室暖房乾燥機内部に設けた熱交換器の温水と浴室内に噴霧する温水を同一の温水にすることができる給湯システムを提供することを目的としている。
【００２７】
また、このような従来の給湯システムでは、浴室暖房乾燥機内部に設けた熱交換器の内部で貯湯タンク上部にある高温の温水の配管と貯湯タンク中央部にある中温の温水の配管を平行に沿わせ、貯湯タンク中央部にある中温の温水の温度を上昇させることが要求されている。
【００２８】
本発明は、このような従来の課題を解決するものであり、貯湯タンク上部からの温水と貯湯タンク中央部の温水の配管を平行に沿わせることができる給湯システムを提供することを目的としている。
【００２９】
また、このような従来の給湯システムでは、浴室内に噴霧する噴霧水は貯湯タンク内の温度が違う温水を選択し浴室内に噴霧することができるようにすることが要求されていた。
【００３０】
本発明は、このような従来の課題を解決するものであり、浴室内に噴霧する噴霧水は貯湯タンク内の温度の違う温水を必要に応じて選択し、浴室内に噴霧することができる給湯システムを提供することを目的としている。
【００３１】
また、このような従来の給湯システムでは、浴室暖房乾燥機内部に設けた熱交換器の温水は、貯湯タンク内の温度の違う温水を選択し、熱交換機に供給することが必要とされていた。
【００３２】
本発明は、このような従来の課題を解決するものであり、浴室暖房乾燥機内部に設けた熱交換器の温水は、貯湯タンク内の温度の違う温水を必要に応じて選択し、熱交換機に供給することができる給湯システムを提供することを目的としている。
【００３３】
また、このような従来の給湯システムでは、浴室暖房乾燥機内部に設けた熱交換器の排水管側温度の検出値により、熱交換器内部の水を排水することが必要とされていた。
【００３４】
本発明は、このような従来の課題を解決するものであり、浴室暖房乾燥機内部に設けた熱交換器の排水管側温度の検出値により、熱交換器内部の水を排水することができる給湯システムを提供することを目的としている。
【課題を解決するための手段】
【００３５】
本発明の給湯システムは上記目的を達成するために、自然エネルギーを利用して水を加熱し、その加熱された温水を直接貯湯タンクに貯湯するものである。
【００３６】
この手段により熱損失のない給湯システムが得られる。
【００３７】
また、本発明の給湯システムは上記目的を達成するために、自然エネルギーである太陽熱を利用した太陽光コレクターで加熱または吸熱した高温水を前記貯湯タンクに貯湯するものである。
【００３８】
この手段により熱損失のない給湯システムが得られる。
【００３９】
また、本発明の給湯システムは上記目的を達成するために、太陽光コレクターに光検出センサーと温度センサーを設け、前記光検出センサーあるいは前記温度センサーの検出値により前記貯湯タンクの低温水を前記太陽光コレクターに供給または供給停止するものである。
【００４０】
この手段により集光または集熱効率の良い給湯システムが得られる。
【００４１】
また、本発明の給湯システムは上記目的を達成するために、前記太陽光コレクターに温度センサーを設け前記温度センサーの検出値が凍結温度になると前記太陽光コレクター内部の水を排水するものである。
【００４２】
この手段により水の凍結による太陽光コレクターの内部破損や温水配管の水が凍結し破損のない給湯システムが得られる。
【００４３】
また、本発明の給湯システムは上記目的を達成するために、太陽光コレクターに供給する供給水は給水弁を介して直接市水より給水するものである。
【００４４】
この手段により部品削減ができる給湯システムが得られる。
【００４５】
また、本発明の給湯システムは上記目的を達成するために、浴室の暖房あるいは乾燥するため暖かい空気を出す浴室暖房乾燥機を備え、前記浴室暖房乾燥機内部に温水と空気を熱交換する熱交換器を備え、前記熱交換器には温水を流し熱を送風することで温風を発生させ、前記熱交換器の温水は前記貯湯タンクに貯湯した高温水を使用するものである。
【００４６】
この手段によりシステムの小型化ができる給湯システムが得られる。
【００４７】
また、本発明の給湯システムは上記目的を達成するために、浴室内に噴霧する噴霧水は、前記貯湯タンクに貯湯した高温水を使用し、浴室内に噴霧するものである。
【００４８】
この手段により省エネ効果のある給湯システムが得られる。
【００４９】
また、本発明の給湯システムは上記目的を達成するために、前記貯湯タンクに保存した高温水を前記浴室暖房乾燥機から温風を出すための前記熱交換器の温水と浴室内に噴霧するための噴霧用水に使用するものである。
【００５０】
この手段により施工性の向上することができる効果のある給湯システムが得られる。
【００５１】
また、本発明の給湯システムは上記目的を達成するために、噴霧用水の温度が高いときは給水弁からの給水される市水と混合し、前記噴霧用水の温度を下げ浴室内に噴霧するものである。
【００５２】
この手段により浴室内に噴霧する噴霧水を快適な温度に下げることができる給湯システムが得られる。
【００５３】
また、本発明の給湯システムは上記目的を達成するために、太陽光コレクターで吸熱した高温水を前記浴室暖房乾燥機内部に備えた熱交換器の温水として使用すると共に、温水弁を介し一部前記貯湯タンクに保存するものである。
【００５４】
この手段により貯湯タンク内の温水温度を上昇することができる給湯システムが得られる。
【００５５】
また、本発明の給湯システムは上記目的を達成するために、前記太陽光コレクターで吸熱した高温水または貯湯タンク内の高温水を前記浴室暖房乾燥機内部に備えた熱交換器の温水に使用すると共に、浴室内に噴霧するための噴霧用水に使用するものである。
【００５６】
この手段により浴室内の暖房時間の短縮および施工性の向上できる給湯システムが得られる。
【００５７】
また、本発明の給湯システムは上記目的を達成するために、前記貯湯タンクに貯湯した高温水を配管により前記浴室暖房乾燥機内部に備えた熱交換器に接続し、前記貯湯タンクの中央付近の中温水の配管と前記高温水の配管を平行に沿わせて中温水の温度を上昇させ浴室内に噴霧するための噴霧用水に使用するものである。
【００５８】
この手段により中温の温水の温度を上昇することができる給湯システムが得られる。
【００５９】
また、本発明の給湯システムは上記目的を達成するために、前記貯湯タンクの貯湯した温水温度を測定し、所定の温度に最も近いの温水を噴霧用水に使用するものである。
【００６０】
この手段により貯湯タンクの温水の量を減らすことなく熱効率の良い給湯システムが得られる。
【００６１】
また、本発明の給湯システムは上記目的を達成するために、貯湯タンクの貯湯した温水温度を測定し、浴室内の温度設定が可能なリモコンの設定温度以上の温水を前記貯湯タンクから前記浴室暖房乾燥機内部に備えた熱交換器に流すものである。
【００６２】
この手段により貯湯タンクの温水の量を減らすことなく熱効率の良い給湯システムが得られる。
【００６３】
また、本発明の給湯システムは上記目的を達成するために、浴室暖房乾燥機内部に備えた熱交換器の排水管側に配管の温度を検出する温度センサーを設け、前記温度センサーが凍結温度を検出すると前記浴室暖房乾燥機内部に備えたの熱交換器内部の水を排水するものである。
【００６４】
この手段により配管の破損を防止することができる給湯システムが得られる。
【発明の効果】
【００６５】
本発明によれば自然エネルギーで加熱された温水を直接貯湯タンクに貯湯することにより、熱交換器による熱損失のない給湯システムを提供できる。
【００６６】
また、本発明によれば自然エネルギーである太陽熱を利用した太陽光コレクターで加熱、吸熱した温度の高い温水を、熱交換などすることなく直接貯湯タンクに貯湯することにより、熱損失を無くすという効果のある給湯システムを提供できる。
【００６７】
また、本発明によれば太陽光コレクターに光検出センサーと温度センサーを設け、集光または集熱効率が良い効果のある給湯システムを提供できる。
【００６８】
また、本発明によれば太陽光コレクターの温度センサーにより、気温の低下により太陽光コレクターの内部破損や温水配管の水が凍結し破損を防止する効果のある給湯システムを提供できる。
【００６９】
また、本発明によれば太陽光コレクター供給する供給水を直接市水より供給し、部品削減によりコストダウンをできる効果のある給湯システムを提供できる。
【００７０】
また、本発明によれば浴室暖房乾燥機内部に設けた熱交換器に供給する温水は直接貯湯タンクの温水を使用することでシステムの小型化ができる効果のある給湯システムを提供できる。
【００７１】
また、本発明によれば、浴室内に噴霧する噴霧水を貯湯タンクから供給することにより省エネ効果のある給湯システムを提供できる。
【００７２】
また、本発明によれば浴室暖房乾燥機内部に設けた熱交換器に供給する温水と浴室内に噴霧する噴霧水は貯湯タンクから同一の温水で供給することにより施工性の向上することができる効果のある給湯システムを提供できる。
【００７３】
また、本発明によれば浴室内に噴霧する噴霧水の水温が高温になると市水と混合し噴霧水の温度を下げ快適温度の噴霧水を作ることができる効果のある給湯システムを提供できる。
【００７４】
また、本発明によれば浴室暖房乾燥機内部に設けた熱交換器に温水を太陽光コレクターから供給すると共に、一部を貯湯タンクに貯湯することにより貯湯タンク内の温水温度を上昇することができる効果のある給湯システムを提供できる。
【００７５】
また、本発明によれば浴室暖房乾燥機内部に設けた熱交換器に供給する温水と浴室内に噴霧する噴霧水は、太陽光コレクターまたは貯湯タンクから温水温度を検出し、温度が高い側の温水を供給することにより、浴室内の暖房時間の短縮および施工性の向上ができる効果のある給湯システムを提供できる。
【００７６】
また、本発明によれば浴室暖房乾燥機内部に設けた熱交換器の内部で高温の温水の配管と中温の温水の配管を平行に沿わせることにより中温の温水の温度を上昇することができる効果のある給湯システムを提供できる。
【００７７】
また、本発明によれば浴室内に噴霧する噴霧水は、所定の温度に近い温水を貯湯タンクから送出することにより、所定温度以上温水の量を減らすことなく熱効率の良い給湯システムを提供できる。
【００７８】
また、本発明によれば浴室暖房乾燥機内部に設けた熱交換器の温水は、リモコンの設定温度に近い温水を貯湯タンクから送出することにより、リモコン設定温度以上温水の量を減らすことなく熱効率の良い給湯システムを提供できる。
【００７９】
また、本発明によれば浴室暖房乾燥機内部に設けた熱交換器内部の水を排水することにより配管内の水が凍結しても配管の破損を防止することができる効果のある給湯システムを提供できる。
【発明を実施するための最良の形態】
【００８０】
本発明の請求項１記載の発明は、自然エネルギーを利用して水を加熱し、その加熱された温水を、熱交換などをすることなく直接貯湯タンクに貯湯することにより、熱損失を無くす、あるいは熱損失を少なくするという作用を有する。
【００８１】
また、自然エネルギーである太陽熱を利用した太陽光コレクターで加熱または吸熱した高温水を、熱交換などをすることなく直接貯湯タンクに貯湯することにより、熱損失を無くす、あるいは熱損失を少なくするという作用を有する。
【００８２】
また、太陽光コレクターに光検出センサーと温度センサーを設け、前記光検出センサーあるいは前記温度センサーの検出値により前記貯湯タンクの低温水を前記太陽光コレクターに供給または供給停止するものであり、集光または集熱効率の良い作用を有する。
【００８３】
また、太陽光コレクターに温度センサーを設け前記温度センサーの検出値が凍結温度になると前記太陽光コレクター内部の水を排水するものであり、水の凍結による太陽光コレクターの内部破損や温水配管の水が凍結し破損のないという作用を有する。
【００８４】
また、太陽光コレクターに供給する供給水は給水弁を介して直接市水より給水するものであり、部品削減ができるという作用を有する。
【００８５】
また、浴室の暖房あるいは乾燥するため暖かい空気を出す浴室暖房乾燥機を備え、前記浴室暖房乾燥機内部に温水と空気を熱交換する熱交換器を備え、前記熱交換器には温水を供給し空気を送風することで温水と空気の熱交換により温風を発生させるが、前記熱交換器の温水は前記貯湯タンクに貯湯した高温水を使用することにより、システムの小型化ができるという作用を有する。
【００８６】
また、浴室内の湿度を高める、あるいはおよび浴室内を暖めるために、浴室内に噴霧する噴霧水は、前記貯湯タンクに貯湯した高温水を使用し、浴室内に噴霧するものであり、省エネにして浴室内の湿度を高める、あるいはおよび浴室内を暖める効果があるという作用を有する。
【００８７】
また、貯湯タンクに保存した高温水を前記浴室暖房乾燥機から温風を出すための前記熱交換器の温水と浴室内に噴霧するための噴霧用水に使用するものであり、施工性の向上する作用を有する。
【００８８】
また、噴霧用水の温度が高いときは給水弁からの給水される市水と混合し、前記噴霧用水の温度を下げ浴室内に噴霧するものであり、浴室内に噴霧する噴霧水を快適な温度に下げることができるという作用を有する。
【００８９】
また、太陽光コレクターで吸熱した高温水を前記浴室暖房乾燥機内部に備えた熱交換器の温水として使用すると共に、温水弁を介し一部前記貯湯タンクに保存するものであり、貯湯タンク内の温水温度を上昇する作用を有する。
【００９０】
また、太陽光コレクターで吸熱した高温水または貯湯タンク内の高温水を前記浴室暖房乾燥機内部に備えた熱交換器の温水に使用すると共に、浴室内に噴霧するための噴霧用水に使用するものであり、浴室内の暖房時間の短縮および施工性の向上できるという作用を有する。
【００９１】
また、前記貯湯タンクに貯湯した高温水を配管により前記浴室暖房乾燥機内部に備えた熱交換器に接続し、前記貯湯タンクの中央付近の中温水の配管と前記高温水の配管を平行に沿わせて中温水の温度を上昇させ浴室内に噴霧するための噴霧用水に使用するものであり、中温の温水の温度を上昇する作用を有する。
【００９２】
また、前記貯湯タンクの貯湯した温水温度を測定し、所定の温度に最も近いの温水を噴霧用水に使用するものであり、貯湯タンクの温水の量を減らすことなく熱効率の良い作用を有する。
【００９３】
また、貯湯タンクの貯湯した温水温度を測定し、浴室内の温度設定が可能なリモコンの設定温度以上の温水を前記貯湯タンクから前記浴室暖房乾燥機内部に備えた熱交換器に流すものであり、貯湯タンクの温水の量を減らすことなく熱効率の良い作用を有する。
【００９４】
また、浴室暖房乾燥機内部に備えた熱交換器の排水管側に配管の温度を検出する温度センサーを設け、前記温度センサーが凍結温度を検出すると前記浴室暖房乾燥機内部に備えたの熱交換器内部の水を排水するものであり、配管の破損を防止することができる作用を有する。
【００９５】
以下、本発明の実施の形態について図面を参照しながら説明する。
【００９６】
（実施の形態１）
従来と同一部分は同一番号を符し、詳細な説明は省略する。
【００９７】
図１に示すように、太陽光コレクター１０１は配管により貯湯タンク１０２に接続され、貯湯タンク１０２は循環ポンプ１０４ａと循環ポンプ１０４ｂに接続され、循環ポンプ１０４ａは電磁弁１０５ａと電磁弁１０５ｃに接続され、電磁弁１０５ａは太陽光コレクター１０１に接続さて閉ループを構成している。また、一方の電磁弁１０５ｃは地熱コレクター１に接続され、地熱コレクター１は貯湯タンク１０２に接続さて閉ループを構成しており、貯湯タンク１０２から循環ポンプ１０４ｂを介して熱交換器１０６ａ側に接続され、熱交換機１０６ａ側は貯湯タンク１０２に接続され閉ループを構成している。また、熱交換機１０６ｂ側の冷媒側は、圧縮機１０７に接続し、圧縮機１０７は蒸発器１０８を介し膨張弁１０９に接続され、さらに膨張弁１０９は、熱交換器１０６ｂに接続され閉ループの構成とした、一般的なヒートポンプ回路を構成している。
【００９８】
上記構成において、自然エネルギーから熱を吸収するときは、貯湯タンク１０２内は水の滞留により、タンク上部には温度の高い温水が溜まり、タンク下部には比較的温度の低い温水が溜まり、貯湯タンク１０２の下部から温度の低い温水（以下低温水という）を循環ポンプ１０４ａと電磁弁１０５ａ、１０５ｃを開にし、太陽光コレクター１０１またはおよび地熱コレクター１に低温水を流し集熱し、温度の高い温水（以下高温水という）にして貯湯タンク１０２の上部から注入し貯湯することにより自然エネルギーを活用した給湯システムができる。また、自然エネルギーから熱が吸収できない、雨天や夜間のときは、ヒートポンプにより、貯湯タンク１０２に高温水を貯湯する。
【００９９】
なお、低温水とは、２０℃程度の温水を言い、高温水とは８０℃以上の温水を言う。
【０１００】
（実施の形態２）
従来、実施の形態１と同一部分は同一番号を符し、詳細な説明は省略する。
【０１０１】
図２に示すように、太陽エネルギーから熱を吸収するときは、貯湯タンク１０２の下部から低温水を循環ポンプ１０４ａと電磁弁１０５ａを動作し、太陽光コレクター１０１に低温水を流し集熱し、高温水にして貯湯タンク１０２の上部から注入し貯湯することにより太陽エネルギーで加熱した高温水を熱損失なく貯湯することができる。
【０１０２】
なお、太陽光コレクターは太陽光を集光または集熱できれば良く、例えば太陽ソーラー温水器のようなものある。
【０１０３】
（実施の形態３）
従来例、実施の形態１または２と同一部分は同一番号を符し、詳細な説明は省略する。
【０１０４】
図３に示すように、太陽光コレクター１０１に光検出センサー２と温度センサー３を設け、前記光検出センサー２と前記温度センサー３は制御装置４に接続され、前記制御装置４はさらに循環ポンプ１０４ａと電磁弁１０５ａに接続されている。
【０１０５】
前記構成により、光検出センサー２で太陽が出ていることを検出し、温度センサー３で気温が２０℃以上を制御装置４が検出すると、循環ポンプ１０４ａを駆動し、さらに電磁弁１０５ａ開にし太陽光コレクター１０１に貯湯タンク１０２の下部から低温水を供給する。
【０１０６】
なお、制御装置４はモータ駆動や温度検出や光検出するためのソフトがプログラムされたマイコンやモータ駆動の半導体とリレーと温度や光を検出するＩＣが搭載された基板である。
【０１０７】
なお、光検出センサー２は、光を検出できればよく、一例としてＣＤＳを用い、温度センサー３は、温度が検出できればよく、例えばサーミスター等を用いる。
【０１０８】
なお、一例として温度センサー３の検出する気温を２０℃としが、太陽光コレクター１０１の特性により変化するものである。
【０１０９】
（実施の形態４）
従来例、実施の形態１乃至３のいずれかと同一部分は同一番号を符し、詳細な説明は省略する。
【０１１０】
図４に示すように、太陽光コレクター１０１には温度センサー３が設けられ、前記太陽光コレクター１０１に低温水を供給する電磁弁１０５ａと太陽光コレクター１０１の配管の間に分岐管５を設け、前記分岐管５に凍結防止用電磁弁６を接続し、前記凍結防止用電磁弁６の反対側は、屋外に水を排水するための屋外排水用配管７が接続され、前記温度センサー３と電磁弁１０５ａと凍結防止用電磁弁６は制御装置４に接続された構成となっている。
【０１１１】
前記構成により、温度センサー３が太陽光コレクター１０１内の水が凍結する温度である０℃を制御装置４が検出すると電磁弁１０５ａを閉にし、凍結防止用電磁弁６を開にし、太陽光コレクター１０１内の水と温水管内の水を分岐管５と凍結防止用電磁弁６と屋外排水用配管７を介し屋外に排水することとなる。
【０１１２】
（実施の形態５）
従来例、実施の形態１乃至４のいずれかと同一部分は同一番号を符し、詳細な説明は省略する。
【０１１３】
図５に示すように、太陽光コレクター１０１に給水するために市水管８と電磁弁１０５ａを接続し、さらに前記電磁弁１０５ａは太陽光コレクター１０１に接続し、前記電磁弁１０５ａは制御装置４と接続し、前記太陽光コレクター１０１排水管側には、太陽光コレクター排水温度センサー９が設け、前記太陽光コレクター排水温度センサー９と電磁弁１０５ａは制御装置４と接続された構成になっている。
【０１１４】
前記構成により、太陽光コレクター１０１の給水は市水の水圧で供給するが、制御装置４は、太陽光コレクター１０１から排出される高温水の温度を太陽光コレクター排水温度センサー９で検出し、検出温度８０℃になるように電磁弁１０５ａの弁開度を調節し、前記太陽光コレクター１０１に給水するの水量を調節することとなる。
【０１１５】
（実施の形態６）
従来例、実施の形態１乃至５のいずれかと同一部分は同一番号を符し、詳細な説明は省略する。
【０１１６】
図６に示すように、貯湯タンク１０２の上部から配管で浴室暖房乾燥機用循環ポンプ１０に接続し、前記浴室暖房乾燥機用循環ポンプ１０は浴室暖房乾燥機用電磁弁１１に接続し、前記浴室暖房乾燥機用電磁弁１１は浴室暖房乾燥機１２に接続され、前記浴室暖房乾燥機１２の排水側は、貯湯タンク１０２の下部に接続され、浴室暖房乾燥機用循環ポンプ１０と浴室暖房乾燥機用電磁弁１１は制御装置４に接続され制御する構成になっている。
【０１１７】
前記構成により、制御装置４は浴室暖房乾燥機用循環ポンプ１０を運転し、浴室暖房乾燥機用電磁弁１１を開にし、貯湯タンク１０２の上部より高温水を浴室暖房乾燥機１２に供給し、前記浴室暖房乾燥機１２内のファン（図示せず）を回転し、浴室内を暖房または乾燥することになり、浴室暖房乾燥機１２で温度の下がった温水は、貯湯タンク１０２に下部から給水されることとなる。
【０１１８】
（実施の形態７）
従来例、実施の形態１乃至６のいずれかと同一部分は同一番号を符し、詳細な説明は省略する。
【０１１９】
図７に示すように、貯湯タンク１０２の上部から配管で噴霧ポンプ１３を接続し、前記噴霧ポンプ１３は噴霧電磁弁１４に接続し、前記噴霧電磁弁１４は噴霧器１５に接続され、さらに前記噴霧ポンプ１３と前記噴霧電磁弁１４は、制御装置４に接続した構成になっている。
【０１２０】
前記構成により、浴室内の湿度を高める、あるいはおよび浴室内を暖めるために、浴室内に温水を噴霧するとき、前記制御装置４は前記噴霧ポンプ１３を運転し、前記貯湯タンク１０２の上部から高温水を吸上げ。さらに前記制御装置４は前記噴霧電磁弁１４を開にして、前記噴霧器１５により浴室内に高温水を噴霧することができる。これにより、省エネルギーにして、浴室、サウナ、あるいは浴室サウナなどで、浴室、サウナ、あるいは浴室サウナ内の湿度を高める、あるいはおよび浴室、サウナ、あるいは浴室サウナ内を暖めることができることとなる。
【０１２１】
（実施の形態８）
従来例、実施の形態１乃至７のいずれかと同一部分は同一番号を符し、詳細な説明は省略する。
【０１２２】
図８に示すように、貯湯タンク１０２の上部から配管で浴室暖房乾燥機用循環ポンプ１０を接続し、前記浴室暖房乾燥機用循環ポンプ１０は分岐配管１６により前記浴室暖房乾燥機用電磁弁１１と前記噴霧電磁弁１４が接続され、前記浴室暖房乾燥機用電磁弁１１は前記浴室暖房乾燥機１２に接続され、前記噴霧電磁弁１４は噴霧器１５に接続し、さらに、前記浴室暖房乾燥機用循環ポンプ１０と前記浴室暖房乾燥機用電磁弁１１と前記噴霧電磁弁１４は制御装置４に接続されている構成となっている。
【０１２３】
前記構成により、浴室内を暖房し温水を噴霧するとき、制御装置４は浴室暖房乾燥機用循環ポンプ１０を運転し、浴室暖房乾燥機用電磁弁１１を開にし、貯湯タンク１０２の上部より高温水を浴室暖房乾燥機１２に供給し、前記浴室暖房乾燥機１２内のファン（図示せず）を回転し、浴室内を暖房または乾燥することができ、さらに浴室内に温水を噴霧するときは、制御装置４は噴霧電磁弁１４を開にして、噴霧器１５により浴室内に高温水を噴霧でき、前記浴室暖房乾燥機１２と噴霧器１５の高温水を共用することが出来る。
【０１２４】
（実施の形態９）
従来例、実施の形態１乃至８のいずれかと同一部分は同一番号を符し、詳細な説明は省略する。
【０１２５】
図９に示すように、貯湯タンク１０２の上部から配管で浴室暖房乾燥機用循環ポンプ１０を接続し、前記浴室暖房乾燥機用循環ポンプ１０は分岐配管１６により前記浴室暖房乾燥機用電磁弁１１と前記噴霧三方弁１７が接続され、前記浴室暖房乾燥機用電磁弁１１は前記浴室暖房乾燥機１２に接続され、前記噴霧三方弁１７は噴霧器１５と市水管８に接続し、前記浴室暖房乾燥機用循環ポンプ１０と前記浴室暖房乾燥機用電磁弁１１と前記噴霧三方弁１７と噴霧入力温度センサー１８と噴霧出力温度センサー１９が制御装置４に接続されている構成となっている。
【０１２６】
前記構成により、制御装置４は、浴室に噴霧する高温水の温度を検出する噴霧入力温度センサー１８が高いとき、すなわち５０℃以上を検出すると、前記噴霧三方弁１７の弁開度を制御し、市水管８からの水を混合し、噴霧する温水温度を噴霧出力温度センサー１９で検出し５０℃になるように調整することができる。噴霧する温度が５０℃以上になると、熱くて不快となるため、５０℃噴霧により冷却され適温と考えられる。
【０１２７】
（実施の形態１０）
従来例、実施の形態１乃至９のいずれかと同一部分は同一番号を符し、詳細な説明は省略する。
【０１２８】
図１０に示すように、太陽光コレクター１０１の排水側配管に太陽光コレクター排水温度センサー９と太陽光コレクター電磁弁２０を設け、前記太陽光コレクター電磁弁２０は前記浴室暖房乾燥機用電磁弁１１と前記浴室暖房乾燥機１２接続されており、さらに前記浴室暖房乾燥機用電磁弁１１は前記噴霧三方弁１７と前記貯湯タンク１０２に接続されており、制御装置４は太陽光コレクター排水温度センサー９と前記太陽光コレクター電磁弁２０と前記浴室暖房乾燥機用電磁弁１１と噴霧三方弁１７制御する構成となっている。
【０１２９】
前記構成により、浴室を暖房または乾燥するとき、制御装置４は、太陽光コレクター排水温度センサー９の温度を検出し、８０℃以上を検出すると、制御装置４は前記太陽光コレクター電磁弁２０を開にし、さらに前記浴室暖房乾燥機用電磁弁１１を半開にし前記浴室暖房乾燥機１２と前記貯湯タンク１０２に高温水を同時に浴室の暖房または乾燥と前記貯湯タンク１０２に貯湯することができる。
【０１３０】
なお、一例として前記浴室暖房乾燥機用電磁弁１１を半開として説明したが、前記貯湯タンク１０２の高温水の量が少ないときは、前記浴室暖房乾燥機用電磁弁１１を弁開度を７５％開き、浴室を暖房または乾燥したいときは弁開度を２５％開き前記浴室暖房乾燥機１２に高温水を多く流す。
【０１３１】
（実施の形態１１）
従来例、実施の形態１乃至１０のいずれかと同一部分は同一番号を符し、詳細な説明は省略する。
【０１３２】
図１１に示すように、太陽光コレクター１０１の排水側と前記太陽光コレクター電磁弁２０の間に前記太陽光コレクター排水温度センサー９を設け、さらに太陽光コレクター１０１は貯湯タンク１０２に接続されており、貯湯タンク１０２から、浴室暖房乾燥機用電磁弁１１が接続されている配管に浴室暖房乾燥機センサー２１を設け、前記浴室暖房乾燥機用電磁弁１１は前記太陽光コレクター電磁弁２０と浴室暖房乾燥機用循環ポンプ１０を接続し浴室暖房乾燥機用循環ポンプ１０は前記浴室暖房乾燥機１２と接続され、制御装置４は前記太陽光コレクター電磁弁２０と前記浴室暖房乾燥機用電磁弁１１と浴室暖房乾燥機用循環ポンプ１０と前記浴室暖房乾燥機センサー２１と前記太陽光コレクター排水温度センサー９を制御する構成となっている。
【０１３３】
前記構成により、制御装置４は前記浴室暖房乾燥機センサー２１と前記太陽光コレクター排水温度センサ−９を比較して、センサーの温度が高いほうの電磁弁つまり前記太陽光コレクター電磁弁２０または前記浴室暖房乾燥機用電磁弁１１を開にして、前記浴室暖房乾燥機１２に高温水を供給して浴室の暖房または乾燥を行うことができる。
【０１３４】
（実施の形態１２）
従来例、実施の形態１乃至１１のいずれかと同一部分は同一番号を符し、詳細な説明は省略する。
【０１３５】
図１２に示すように、貯湯タンク１０２の上部から浴室暖房乾燥機用電磁弁１１を接続し、前記浴室暖房乾燥機用電磁弁１１は前記浴室暖房乾燥機１２と接続し、さらに前記浴室暖房乾燥機１２は、貯湯タンク１０２の下部に接続され閉ループを形成しており、貯湯タンク１０２の中央部より中温程度温水（以下中温水）は噴霧電磁弁１４を介し前記浴室暖房乾燥機１２に接続し、前記浴室暖房乾燥機１２内部では、高温水と中温水の配管を平行に配置し、中温水の配管は噴霧器１５と接続している構造になっている。
【０１３６】
前記構成により、  浴室を高温・多湿にするときは、前記浴室暖房乾燥機用電磁弁１１を開にし、さらに噴霧電磁弁１４を開にして、中温水の温度を上昇させて、噴霧器１５で浴室内に噴霧することができる。
【０１３７】
なお、中温水とは、貯湯タンク１０２の中央部から温水を取るものであり６０℃から７０℃程度の温度となる。
【０１３８】
（実施の形態１３）
従来例、実施の形態１乃至１２のいずれかと同一部分は同一番号を符し、詳細な説明は省略する。
【０１３９】
図１３に示すように、貯湯タンク１０２の上部から浴室暖房乾燥機用電磁弁１１を接続し、前記浴室暖房乾燥機用電磁弁１１は前記浴室暖房乾燥機１２と接続し、前記浴室暖房乾燥機１２は、前記貯湯タンク１０２の下部に接続され閉ループを構成し、さらに前記貯湯タンク１０２の上部から高温水弁２２を接続し、その高温水の温度を検出する高温水温度センサー２３を設け、さらに前記貯湯タンク１０２の中央部から中温水弁２４を接続し、その中温水の温度を検出する中温水温度センサー２５を設け、さらに前記貯湯タンク１０２の下部から低温水弁２６を接続し、その低温水の温度を検出する低温水温度センサー２７を設け、前記高温水弁２２と前記中温水弁２４と前記低温水弁２６の排水側を接続しさらに噴霧器１５に接続し、制御装置４は前記高温水弁２２と前記中温水弁２４と前記低温水弁２６と前記浴室暖房乾燥機用電磁弁１１と前記高温水温度センサー２３と前記中温水温度センサー２５と前記低温水温度センサー２７が接続されている構成となっている。
【０１４０】
前記構成により、制御装置４は前記高温水温度センサー２３と前記中温水温度センサー２５と前記低温水温度センサー２７の検出値が５０℃に近い温水を検出し、その温水の電磁弁を開にして浴室内に噴霧することにより、必要以上の温度の温水を前記貯湯タンク１０２から減らすことがなく浴室に噴霧することができる。噴霧する温度が５０℃以上になると、熱くて不快となるため、５０℃噴霧により冷却され適温と考えられる。
【０１４１】
（実施の形態１４）
従来例、実施の形態１乃至１３のいずれかと同一部分は同一番号を符し、詳細な説明は省略する。
【０１４２】
図１４に示すように前記貯湯タンク１０２の上部から高温水弁２２を接続し、その高温水の温度を検出する高温水温度センサー２３を設け、さらに前記貯湯タンク１０２の中央部から中温水弁２４を接続し、その中温水の温度を検出する中温水温度センサー２５を設け、さらに前記貯湯タンク１０２の下部から低温水弁２６を接続し、その低温水の温度を検出する低温水温度センサー２７を設け、前記高温水弁２２と前記中温水弁２４と前記低温水弁２６の排水側を接続し前記浴室暖房乾燥機１２と接続し、前記浴室暖房乾燥機１２は前記貯湯タンク１０２の下部に接続され閉ループを構成し、前記制御装置４は、浴室内の温度設定ができるリモコン２８と前記高温水弁２２と前記中温水弁２４と前記低温水弁２６と前記高温水温度センサー２３と前記中温水温度センサー２５と前記低温水温度センサー２７が接続された構成となっている。
【０１４３】
前記構成により、制御装置４は前記高温水温度センサー２３と前記中温水温度センサー２５と前記低温水温度センサー２７の温度を検出し、リモコン２８の設定温度に近い電磁弁を開にして浴室内の暖房または乾燥を行い貯湯タンク１０２の温水量を効率良く使用することができる。
【０１４４】
（実施の形態１５）
従来例、実施の形態１乃至１４のいずれかと同一部分浴室暖房乾燥機排水電磁弁３１は同一番号を符し、詳細な説明は省略する。
【０１４５】
図１５に示すように、貯湯タンク１０２の上部から浴室暖房乾燥機用電磁弁１１を接続し、前記浴室暖房乾燥機用電磁弁１１は前記浴室暖房乾燥機１２と接続し、前記浴室暖房乾燥機１２は、浴室暖房乾燥機用循環ポンプ１０に接続され、前記浴室暖房乾燥機１２と前記浴室暖房乾燥機用循環ポンプ１０の間には浴室暖房乾燥機排水センサー２９を設け、さらに、前記浴室暖房乾燥機用循環ポンプ１０は排水電磁弁３０と浴室暖房乾燥機排水電磁弁３１が接続されて、浴室暖房乾燥機排水電磁弁３１は貯湯タンク１０２の下部に接続され閉ループを構成しており、前記排水電磁弁３０は、前記浴室暖房乾燥機１２からの水を排水する構造となっており、制御装置４は前記浴室暖房乾燥機用電磁弁１１と前記浴室暖房乾燥機排水センサー２９と前記浴室暖房乾燥機用循環ポンプ１０と排水電磁弁３０と浴室暖房乾燥機排水電磁弁３１を制御する構成となっている。
【０１４６】
前記構成により、制御装置４は、浴室暖房乾燥機排水センサー２９が０℃を検出すると前記浴室暖房乾燥機用電磁弁１１を閉にし、前記浴室暖房乾燥機用循環ポンプ１０を運転し、前記浴室暖房乾燥機排水電磁弁３１を閉にし、排水電磁弁３０を開にして前記浴室暖房乾燥機１２内の水を排水し、前記浴室暖房乾燥機１２内の破損および凍結による配管の破損を防止することができる。
【産業上の利用可能性】
【０１４７】
自然エネルギーとヒートポンプ熱源機能付きのハイブリッドタイプの給湯システムにおいて、自然エネルギーで加熱された温水を熱交換などすることなく、直接貯湯タンクに貯湯することにより、熱交換器による熱損失の少ない給湯システムを提供でき、業務用や一般家庭用の給湯システム、サウナ、浴室暖房乾燥機などに広く適用できる。
【図面の簡単な説明】
【０１４８】
【図１】本発明の実施の形態１の構成図
【図２】本発明の実施の形態２の構成図
【図３】本発明の実施の形態３の構成図
【図４】本発明の実施の形態４の構成図
【図５】本発明の実施の形態５の構成図
【図６】本発明の実施の形態６の構成図
【図７】本発明の実施の形態７の構成図
【図８】本発明の実施の形態８の構成図
【図９】本発明の実施の形態９の構成図
【図１０】本発明の実施の形態１０の構成図
【図１１】本発明の実施の形態１１の構成図
【図１２】本発明の実施の形態１２の構成図
【図１３】本発明の実施の形態１３の構成図
【図１４】本発明の実施の形態１４の構成図
【図１５】本発明の実施の形態１５の構成図
【図１６】従来の給湯システムの構成図
【符号の説明】
【０１４９】
１    地熱コレクター
２    光検出センサー
３    温度センサー
４    制御装置
５    分岐管
６    凍結防止用電磁弁
７    屋外排水用配管
８    市水管
９    太陽光コレクター排水温度センサー
１０  浴室暖房乾燥機用循環ポンプ
１１  浴室暖房乾燥機用電磁弁
１２  浴室暖房乾燥機
１３  噴霧ポンプ
１４  噴霧電磁弁
１５  噴霧器
１６  分岐配管
１７  噴霧三方弁
１８  噴霧入力温度センサー
１９  噴霧出力温度センサー
２０  太陽光コレクター電磁弁
２１  浴室暖房乾燥機センサー
２２  高温水弁
２３  高温水温度センサー
２４  中温水弁
２５  中温水温度センサー
２６  低温水弁
２７  低温水温度センサー
２８  リモコン
２９  浴室暖房乾燥機排水センサー
３０  排水電磁弁
３１  浴室暖房乾燥機排水電磁弁
【図１】
2007327679.tif 000003
【図２】
2007327679.tif 000004
【図３】
2007327679.tif 000005
【図４】
2007327679.tif 000006
【図５】
2007327679.tif 000007
【図６】
2007327679.tif 000008
【図７】
2007327679.tif 000009
【図８】
2007327679.tif 000010
【図９】
2007327679.tif 000011
【図１０】
2007327679.tif 000012
【図１１】
2007327679.tif 000013
【図１２】
2007327679.tif 000014
【図１３】
2007327679.tif 000015
【図１４】
2007327679.tif 000016
【図１５】
2007327679.tif 000017
【図１６】
2007327679.tif 000018